(57)【要約】【課題】仏壇の支持板に載置した仏具が倒れてしまうのを防止することができる仏具の支持用具を提供する。【解決手段】香炉Ｋ、一対の燭台Ｓ、線香差しＴ、マッチ消しＭ、茶湯器Ｃ、一対の仏飯器Ｒ、花立Ｈを支持した仏具の支持用具１、３、５にそれぞれ支持されているので、地震等によって仏壇Ｂに振動が加わっても、香炉Ｋ、一対の燭台Ｓ、線香差しＴ、マッチ消しＭ、茶湯器Ｃ、一対の仏飯器Ｒ、花立Ｈが倒れるのを防止することができる。すなわち、例えば燭台Ｓが傾いても、挿入穴２１の内周面に燭台Ｓが当接して、倒れるのを防止することができる。他の香炉Ｋ、線香差しＴ、マッチ消しＭ、茶湯器Ｃ、一対の仏飯器Ｒ、花立Ｈも同様にして倒れるのが防止される。また、線香をあげるときなどにおいて手が上記燭台Ｓ等の仏具に当たっても、同様にして倒れるのが防止されることになる。【選択図】        図２
2012125369.tif 000002
【特許請求の範囲】
【請求項１】
天板部を有して内部が空洞となっているケース状の本体と、前記本体の天板部に形成された仏具が挿入される挿入穴と、前記本体に設けられ前記挿入穴に挿入された仏具が設置される底板部とから成ることを特徴とする仏具の支持用具。
【請求項２】
請求項１に記載した仏具の支持用具において、挿入穴は仏具の形状に応じて形成されていることを特徴とする仏具の支持用具。
【請求項３】
請求項１または２に記載した仏具の支持用具において、仏具の支持用具を備える仏壇と色、色調、模様等を合わせた意匠となっていることを特徴とする仏具の支持用具。
【発明の詳細な説明】
【技術分野】
【０００１】
本発明は仏具の支持用具に係り、特に仏壇に設置される仏具が倒れるのを防止するための仏具の支持用具に関するものである。
【背景技術】
【０００２】
特許文献１に記載された仏壇の支持板には燭台、花立等の多数の仏具が載置される。
【先行技術文献】
【特許文献】
【０００３】
【特許文献１】特開２００４−３３６７２
【発明の概要】
【発明が解決しようとする課題】
【０００４】
しかしながら、仏具は支持板に単に設置されているだけなので、それほど大きな揺れの地震でなくても簡単に倒れてしまうことになる。また地震だけでなく、線香をあげるときなどにおいて手が仏具に当たり、仏具を倒してしまうことも少なくない。
本発明は上記従来の問題点に着目して為されたものであり、仏壇の支持板に設置した仏具が倒れてしまうのを防止することができる仏具の支持用具の提供を、その目的とする
【課題を解決するための手段】
【０００５】
本発明は上記課題を解決するためになされたものであり、請求項１の発明は、天板部を有して内部が空洞となっているケース状の本体と、前記本体の天板部に形成された仏具が挿入される挿入穴と、前記本体に設けられ前記挿入穴に挿入された仏具が設置される底板部とから成ることを特徴とする仏具の支持用具である。
【０００６】
請求項２の発明は、請求項１に記載した仏具の支持用具において、挿入穴は仏具の形状に応じて形成されていることを特徴とする仏具の支持用具である。
【０００７】
請求項３の発明は、請求項１または２に記載した仏具の支持用具において、仏具の支持用具を備える仏壇と色、色調、模様等を合わせた意匠となっていることを特徴とする仏具の支持用具である。
【発明の効果】
【０００８】
本発明の仏具の支持用具によれば、仏壇の支持板に備えた仏具が倒れてしまうのを防止することができる。
【図面の簡単な説明】
【０００９】
【図１】本発明の実施の形態に係る仏具の支持用具の斜視図である。
【図２】図１の仏具の支持用具に仏具を支持させた状態の斜視図である。
【図３】図２の仏具を支持させた仏具の支持用具を仏壇の支持板に載置した状態を示す図である。
【発明を実施するための形態】
【００１０】
本発明の実施の形態に係る仏具の支持用具１、３、５を図面にしたがって説明する。
仏具の支持用具１、３、５は図面では省略しているが焦げ茶色の木材によって構成され、後述する仏壇Ｂに合わせた色、色調、模様、質感をもつ意匠となっている。
仏具の支持用具１の構成について説明する。符号７は内部が空洞のケース状の本体を示し、底板部９、この底板部９から立ち上げられた前板部１１、背板部１３、一対の側板部１５及び天板部１７を有している。天板部１７の中央には大径の挿入穴１９が形成され、更に挿入穴１９を挟んで左右両側には中径の挿入穴２１、２３が形成されている。また、挿入穴２１、２３の後方には小径の挿入穴２５、２７が形成されている。挿入穴１９、２１、２３、２５、２７は円形に形成されている。
【００１１】
底板部９の上面の後述する仏具が設置される部位には、マット２９、３１、３３、３５、３７が備えられている。マット２９、３１、３３、３５、３７は弾力性を有し、且つ滑り難い性質をもつ合成樹脂性で網状に形成されている。以下に説明するマット４４、４６、４８、７１も同様である。
マット２９、３１、３３、３５、３７は底板部９の後述する仏具が設置される部位に配置されている。すなわち、マット２９は挿入穴１９に対応する位置に、マット３１、３３は挿入穴２１、２３に対応する位置に、更にマット３５、３７は挿入穴２５、２７に対応する位置に備えられている。またマット２９、３１、３３、３５、３７はそれぞれ挿入穴１９、２１、２３、２５、２７に対応するサイズに形成されている。
【００１２】
支持用具３の構成について説明する。符号３９は内部が空洞のケース状の本体を示し、底板部４１、この底板部４１から立ち上げられた前板部４３、背板部４５、一対の側板部４７及び天板部４９を有している。天板部４９の中央には大径の挿入穴５１が形成され、更に挿入穴５１を挟んで左右両側には中径の挿入穴５３、５５が形成されている。挿入穴５１、５３、５５は円形に形成されている。
【００１３】
底板部４１の上面の後述する仏具が設置される部位には、マット４４、４６、４８が備えられている。すなわち、マット４４は挿入穴５１に対応する位置に、マット４６、４８は挿入穴５３、５５に対応する位置に備えられている。またマット４４、４６、４８はそれぞれ挿入穴５１、５３、５５に対応するサイズに形成されている。
【００１４】
支持用具５の構成について説明する。符号５７はケース状の本体を示し、底板部５９、この底板部５９から立ち上げられた前板部６１、背板部６３、一対の側板部６５及び天板部６７を有している。天板部６７の中央に挿入穴６９が形成されている。この挿入穴６９は円形の主部６９ａと主部６９ａに連続して形成された一対の凸状部６９ｂから成り、凸状部６９ｂは左右方向へ延びている。
底板部５９の上面の後述する仏具が設置される部位にはマット７１が備えられており、このマット７１は挿入穴６９に対応する位置に備えられている。
【００１５】
次に、仏具の支持用具１、３、５の使用方法について説明する。
図２に示すように、仏具としての香炉Ｋ、一対の燭台Ｓ、線香差しＴ、マッチ消しＭは仏具の支持用具１の挿入穴１９、２１、２３、２５、２７にそれぞれ挿入されて、且つマット２９、３１、３３、３５、３７の上にそれぞれ載り、マット２９、３１、３３、３５、３７を介して底板部９に設置されている。
【００１６】
また、仏具としての茶湯器Ｃ、一対の仏飯器Ｒは仏具の支持用具３の挿入穴５１、５３、５５にそれぞれ挿入されて、且つマット４４、４６、４８上にそれぞれ載り、マット４４、４６、４８を介して底板部４１に設置されている。
更に、仏具としての花立Ｈは仏具の支持用具５の挿入穴６９に挿入されて、且つマット７１上に載り、マット７１を介して底板部５９に設置されている。挿入穴６９は主部６９ａと凸状部６９ｂとから成るので、花立Ｈの本体Ｈａは主部６９ａに挿入され、取っ手Ｈｂは凸状部６９ｂに挿入される。このように挿入穴６９は花立Ｈの形状に応じて形成されているので、花立Ｈをしっかりと支持することができる。
【００１７】
上記のように、香炉Ｋ、一対の燭台Ｓ、線香差しＴ、マッチ消しＭ、茶湯器Ｃ、一対の仏飯器Ｒ、花立Ｈを支持した仏具の支持用具１、３、５を図３に示すように仏壇Ｂの支持板Ｂａ、Ｂｂに設置する。
支持用具１、３、５は仏壇Ｂに合わせた色、色調、模様、質感をもつ意匠となっているので、支持用具１、３、５は仏壇Ｂとはデザイン的な統一感をもち、高級感を醸し出すことになる。
【００１８】
香炉Ｋ、一対の燭台Ｓ、線香差しＴ、マッチ消しＭ、茶湯器Ｃ、一対の仏飯器Ｒ、花立Ｈは仏具の支持用具１、３、５にそれぞれ支持されているので、地震等によって仏壇Ｂに振動が加わっても、香炉Ｋ、一対の燭台Ｓ、線香差しＴ、マッチ消しＭ、茶湯器Ｃ、一対の仏飯器Ｒ、花立Ｈが倒れるのを防止することができる。すなわち、例えば燭台Ｓが傾いても、挿入穴２１の内周面に燭台Ｓが当接して、倒れるのを防止することができる。他の香炉Ｋ、線香差しＴ、マッチ消しＭ、茶湯器Ｃ、一対の仏飯器Ｒ、花立Ｈも同様にして倒れるのが防止される。
【００１９】
更に、マット２９、３１、３３、３５、３７、４４、４６、４８、７１は弾性力を有し、滑り難い性質をもつ合成樹脂性で網状に形成されているので、香炉Ｋ、一対の燭台Ｓ、線香差しＴ、マッチ消しＭの重みが比較的小さい面積にかかり、また振動がマット２９、３１、３３、３５、３７、４４、４６、４８、７１に吸収されることから、香炉Ｋ、一対の燭台Ｓ、線香差しＴ、マッチ消しＭ、茶湯器Ｃ、一対の仏飯器Ｒ、花立Ｈが倒れるのをより効果的に防止することが可能である。
また、線香をあげるときなどにおいて手が上記燭台Ｓ等の仏具に当たっても、同様にして倒れるのが防止されることになる。
【００２０】
以上、本発明の実施の形態について詳述してきたが、具体的構成は、この実施の形態に限られるものではなく、本発明の要旨を逸脱しない範囲における設計の変更などがあっても発明に含まれる。
例えば、本発明の仏具の支持用具は実施の形態で示した仏具以外の高杯等を支持するものとしてもよい。
【産業上の利用可能性】
【００２１】
本発明は仏具の支持用具は仏壇製造業において利用可能である。
【符号の説明】
【００２２】
１…仏具の支持用具              ３…仏具の支持用具
５…仏具の支持用具              ７…ケース状の本体
９…底板部                    １１…前板部
１３…背板部                    １５…側板部
１７…天板部                    １９…挿入穴
２１…挿入穴                    ２３…挿入穴
２５…挿入穴                    ２７…挿入穴
２９…マット                    ３１…マット
３３…マット                    ３５…マット
３７…マット                    ３９…本体
４１…底板部                    ４３…前板部
４５…背板部                    ４７…側板部
４９…天板部                    ４４…マット
４６…マット                    ４８…マット
５１…挿入穴                    ５３…挿入穴
５５…挿入穴                    ５７…ケース状の本体
５９…底板部                    ６１…前板部
６３…背板部                    ６５…側板部
６７…天板部                    ６９…挿入穴
６９ａ…主部                    ６９ｂ…凸状部
７１…マット                    Ｋ…香炉
Ｓ…燭台                        Ｔ…線香差し
Ｍ…マッチ消し                  Ｃ…茶湯器
Ｒ…仏飯器                      Ｈ…花立
Ｈａ…花立の本体                Ｈｂ…取っ手
Ｂ…仏壇                        Ｂａ…支持板
Ｂｂ…支持板
【図１】
2012125369.tif 000003
【図２】
2012125369.tif 000004
【図３】
2012125369.tif 000005